【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
電力生産システムであって、
第１の燃焼ストリームを生成するために、第１のリサイクルストリームの存在下で第１の燃料ストリームおよび第１の空気ストリームを燃焼させるように構成された第１の燃焼器と、
前記第１の燃焼ストリームを膨張させるように構成された第１のタービンと、
前記第１のタービンから第１の放出ストリームの少なくとも一部分を受取るように構成された第１の熱交換器であって、
前記第１の空気ストリームおよび前記第１の放出ストリームから生成される前記第１のリサイクルストリームの少なくとも一部分を加熱するために、前記第１の放出ストリームの前記部分を使用するように構成される、第１の熱交換器と、
第２の燃焼ストリームを生成するために、前記第１の放出ストリームから生成される第２のリサイクルストリームの存在下で第２の燃料ストリームおよび第２の空気ストリームを燃焼させるように構成された第２の燃焼器と、
前記第２の燃焼ストリームを膨張させるように構成された第２のタービンと、
前記第２の空気ストリームおよび前記第２のリサイクルストリームを加熱するように構成された第２の熱交換器と、
を備える、電力生産システム。
【請求項２】
前記第２の熱交換器は、前記第２の空気ストリームおよび前記第２のリサイクルストリームを加熱するために、前記第２のタービンから第２の放出ストリームを使用するように構成されるか、または、
前記第２の熱交換器は、前記第１のリサイクルストリームの第２の部分を加熱するようにさらに構成される、請求項１に記載の電力生産システム。
【請求項３】
第３の燃焼ストリームを生成するために、前記第２のタービンから受取られる第２の放出ストリームの存在下で第３の燃料ストリームおよび第３の空気ストリームを燃焼させるように構成された第３の燃焼器と、
前記第３の燃焼ストリームを膨張させるように構成された第３のタービンと、
をさらに備える、請求項１に記載の電力生産システム。
【請求項４】
前記第２の熱交換器は、前記第２の空気ストリームおよび前記第２のリサイクルストリームを加熱するために、前記第３のタービンから第３の放出ストリームを使用するように構成される、請求項３に記載の電力生産システム。
【請求項５】
前記第２の熱交換器は、前記第３の空気ストリームを加熱するようにさらに構成されるか、または、
前記第２の熱交換器は、前記第１のリサイクルストリームの第２の部分を加熱するようにさらに構成される、請求項４に記載の電力生産システム。
【請求項６】
前記第１のリサイクルストリームを圧縮するように構成されたリサイクル圧縮機をさらに備えるか、または、
前記第１の放出ストリームの第２の部分は、前記第２の燃焼器に送られる、請求項１に記載の電力生産システム。
【請求項７】
前記第２の熱交換器から、冷却された放出ストリームを受取るように構成されたスクラバをさらに備える、請求項１に記載の電力生産システム。
【請求項８】
前記スクラバはＣＯ２吸着システムを備える、請求項７に記載の電力生産システム。
【請求項９】
前記第１の空気ストリームおよび前記第２の空気ストリームを生成するために、給送空気ストリームを圧縮するように構成された空気圧縮機システムをさらに備える、請求項１に記載の電力生産システム。
【請求項１０】
前記空気圧縮機システムは、前記第１の空気ストリームを圧縮するように構成された第１の空気圧縮機および前記第２の空気ストリームを圧縮するように構成された第２の空気圧縮機を備える、請求項９に記載の電力生産システム。
【請求項１１】
前記第２の空気圧縮機は、前記第１の空気圧縮機が前記第１の空気ストリームを圧縮する前に前記第１の空気ストリームを圧縮するようにさらに構成されるか、または、
前記空気圧縮機システムは、前記第１の燃焼器および前記第２の燃焼器内で化学量論的な燃焼をもたらすために、前記第１の空気ストリームの流量および前記第２の空気ストリームの流量を制御するように構成される、請求項１０に記載の電力生産システム。
【請求項１２】
前記空気圧縮機システムは、前記第１の燃焼器および前記第２の燃焼器内で燃焼において最大５％の過剰のＯ２をもたらすために、前記第１の空気ストリームの流量および前記第２の空気ストリームの流量を制御するように構成される、請求項１１に記載の電力生産システム。
【請求項１３】
前記第１の燃料ストリームおよび前記第２の燃料ストリームは、圧縮された炭化水素ガスを含む、請求項１に記載の電力生産システム。
【請求項１４】
前記圧縮された炭化水素ガスはメタンを含む、請求項１３に記載の電力生産システム。
【請求項１５】
前記第１の空気ストリームおよび前記第２の空気ストリームは、圧縮された周囲空気を含むか、または、
前記第１のリサイクルストリームおよび前記第２のリサイクルストリームは、分子ベースで５０％より多いＮ２であるか、または、
前記第１の熱交換器を通して送られる前記第１の放出ストリームの部分から液体ストリームを除去するように構成された分離器をさらに備えるか、または、
前記電力生産システムは、１，３００℃乃至１，５００℃のタービン温度で運転するときに、少なくとも６０％の、低位発熱量ベースの正味の発電効率で運転するように構成される、請求項１に記載の電力生産システム。
【請求項１６】
電力を生成するための方法であって、
第１の燃焼ストリームを生成するために、第１のリサイクルストリームの存在下で第１の燃料ストリームおよび第１の空気ストリームを燃焼させること、
第１のタービン内の前記第１の燃焼ストリームを膨張させ、前記第１のタービンを回転させて電力を生成すること、
前記第１のタービンから第１の放出ストリームの少なくとも一部分を第１の熱交換器に送ること、
前記第１の放出ストリームの前記部分を使用し、前記第１の熱交換器によって第１の空気ストリームおよび前記第１の放出ストリームから生成される前記第１のリサイクルストリームの少なくとも一部分を加熱すること、
第２の燃焼ストリームを生成するために、前記第１の放出ストリームから生成される第２のリサイクルストリームの存在下で第２の燃焼器内で第２の燃料ストリームおよび第２の空気ストリームを燃焼させること、
第２のタービン内で前記第２の燃焼ストリームを膨張させ、電力を生成するように前記第２のタービンを回転させること、
前記第２の空気ストリームおよび前記第２のリサイクルストリームを第２の熱交換器に送ること、および、
前記第２の熱交換器によって前記第２の空気ストリームおよび前記第２のリサイクルストリームを加熱すること、
を含む、方法。
【請求項１７】
前記第２の熱交換器によって前記第２の空気ストリームおよび前記第２のリサイクルストリームを加熱することは、前記空気ストリームおよび前記リサイクルストリームを加熱するために前記第２のタービンから第２の放出ストリームを使用することを含むか、または、
前記第２の熱交換器によって前記第１のリサイクルストリームの第２の部分を加熱することをさらに含むか、または、
第３の燃焼ストリームを生成するために、前記第２のタービンから受取られる第２の放出ストリームの存在下で第３の燃焼器内で第３の燃料ストリームおよび第３の空気ストリームを燃焼させること、および、
第３のタービン内で前記第３の燃焼ストリームを膨張させ、電力を生成するように前記第３のタービンを回転させること、
をさらに含む、請求項１６に記載の方法。
【請求項１８】
前記第２の熱交換器によって前記第２の空気ストリームおよび前記第２のリサイクルストリームを加熱することは、前記第２の空気ストリームおよび前記第２のリサイクルストリームを加熱するために前記第３のタービンから第３の放出ストリームを使用することを含む請求項１７に記載の方法。
【請求項１９】
前記第２の熱交換器によって前記第３の空気ストリームを加熱することをさらに含むか、または、
前記第２の熱交換器によって前記第１のリサイクルストリームの第２の部分を加熱することをさらに含む、請求項１８に記載の方法。
【請求項２０】
リサイクル圧縮機によって前記第１のリサイクルストリームを圧縮すること、
前記第１の放出ストリームの第２の部分を前記第２の燃焼器に送ること、
冷却された放出ストリームを前記第２の熱交換器からスクラバへ送ること、
のうち１つ以上をさらに含む請求項１６に記載の方法。
【請求項２１】
スクラバはＣＯ２吸着システムである、請求項２０に記載の方法。
【請求項２２】
前記第１の空気ストリームおよび前記第２の空気ストリームを生成するために、空気圧縮機システムによって給送空気ストリームを圧縮することをさらに含む、請求項１６に記載の方法。
【請求項２３】
前記空気圧縮機システムによって前記給送空気ストリームを圧縮することは、第１の空気圧縮機によって前記第１の空気ストリームを圧縮することおよび第２の空気圧縮機によって前記第２の空気ストリームを圧縮することを含む、請求項２２に記載の方法。
【請求項２４】
前記空気圧縮機システムによって前記給送空気ストリームを圧縮することは、前記第１の空気圧縮機によって前記第１の空気ストリームを圧縮する前に前記第２の空気圧縮機によって前記第１の空気ストリームを圧縮することを含むか、または、
前記空気圧縮機システムによって前記第１の空気ストリームの流量および前記第２の空気ストリームの流量を制御し、前記第１の燃焼器および前記第２の燃焼器内で化学量論的な燃焼をもたらすことをさらに含む請求項２３に記載の方法。
【請求項２５】
前記空気圧縮機システムによって前記第１の空気ストリームの流量および前記第２の空気ストリームの流量を制御し、前記第１の燃焼器および前記第２の燃焼器内で燃焼において最大５％の過剰のＯ２をもたらすことをさらに含む、請求項２４に記載の方法。
【請求項２６】
前記第１の燃料ストリームおよび前記第２の燃料ストリームは、圧縮された炭化水素ガスを含む、請求項１６に記載の方法。
【請求項２７】
前記圧縮された炭化水素ガスはメタンを含む、請求項２６に記載の方法。
【請求項２８】
前記第１の空気ストリームおよび前記第２の空気ストリームは、圧縮された周囲空気を含むか、または、
前記第１のリサイクルストリームおよび前記第２のリサイクルストリームは、分子ベースで５０％より多いＮ２を含むか、または、
分離器によって、前記第１の熱交換器を通して送られる前記第１の放出ストリームの部分から液体ストリームを除去することをさらに含むか、または、
電力は、１，３００℃乃至１，５００℃のタービン温度で運転するときに、少なくとも６０％の、低位発熱量ベースの正味の発電効率で運転される、請求項１６に記載の方法。
【請求項２９】
電力生産システムであって、
空気ストリームを供給するように構成された空気供給部と、
燃料ストリームを供給するように構成された燃料供給部と、
分子ベースで５０％より多いＮ２である燃焼ストリームを生成するためにリサイクルストリームの存在下で前記燃料ストリームおよび前記空気ストリームを燃焼させるように構成された燃焼器と、
前記燃焼ストリームを膨張させるように構成されたタービンと、
前記タービンから放出ストリームの少なくとも一部分を受取るように構成された熱交換器であって、前記熱交換器は、前記空気ストリームおよび前記放出ストリームから生成される前記リサイクルストリームの少なくとも一部分を加熱するために、前記放出ストリームの前記部分を使用するように構成される、熱交換器と、を備え、
前記空気供給部および前記燃料供給部は、最大５％の過剰のＯ２を有する化学量論的な燃焼を前記燃焼器内でもたらすように構成された比で前記空気ストリームおよび前記燃料ストリームを供給するように構成される、電力生産システム。
【請求項３０】
第２の燃焼ストリームを生成するために、前記放出ストリームから生成される第２のリサイクルストリームの存在下で第２の燃料ストリームおよび第２の空気ストリームを燃焼させるように構成された第２の燃焼器と、
前記第２の燃焼ストリームを膨張させるように構成された第２のタービンと、
前記第２の空気ストリームおよび前記第２のリサイクルストリームを加熱するように構成された第２の熱交換器と、
をさらに備える、請求項２９に記載の電力生産システム
【請求項３１】
分子ベースで５０％より多いＮ２である燃焼ストリームを生成するためにリサイクルストリームの存在下において、燃焼器内で燃料ストリームおよび空気ストリームを燃焼させることであって、前記燃料ストリームと前記空気ストリームの比は、最大５％の過剰のＯ２を有する化学量論的な燃焼をもたらすように制御されること、
タービン内の前記燃焼ストリームを膨張させ、前記タービンを回転させて電力を生成すること、
前記タービンから放出ストリームの少なくとも一部分を熱交換器に送ること、および、
前記放出ストリームの前記部分を使用し、前記熱交換器によって前記空気ストリームおよび前記放出ストリームから生成される前記リサイクルストリームの少なくとも一部分を加熱すること、
を含む、方法。
【請求項３２】
第２の燃焼ストリームを生成するために、前記放出ストリームから生成される第２のリサイクルストリームの存在下で第２の燃焼器内で第２の燃料ストリームおよび第２の空気ストリームを燃焼させること、
第２のタービン内で前記第２の燃焼ストリームを膨張させ、電力を生成するように前記第２のタービンを回転させること、
前記第２の空気ストリームおよび前記第２のリサイクルストリームを第２の熱交換器に送ること、および、
前記第２の熱交換器によって前記第２の空気ストリームおよび前記第２のリサイクルストリームを加熱すること、
をさらに含む、請求項３１に記載の方法。